(57)【要約】【課題】タッチスクリーンの厚さを減少させ、材料費を低減することができるだけでなく、デジタイザ電極の感度を向上させることができるとともに、厚さをさらに減少させることができるタッチスクリーンを提供する。【解決手段】本発明によるタッチスクリーン１００は、透明基板１１０と、透明基板１１０の一面に形成されたタッチ電極１２０と、透明基板１１０の他面に形成されたデジタイザ電極１３０と、透明基板１１０の他面方向に備えられた画像表示装置１５０と、を含むものである。【選択図】図１
2013137731.tif 000002
【特許請求の範囲】
【請求項１】
透明基板と、
前記透明基板の一面に形成されたタッチ電極と、
前記透明基板の他面に形成されたデジタイザ電極と、
前記透明基板の他面方向に備えられた画像表示装置と、
を含むタッチスクリーン。
【請求項２】
前記タッチ電極は、第１電極パターン及び第２電極パターンを含む請求項１に記載のタッチスクリーン。
【請求項３】
前記デジタイザ電極は、第３電極パターン及び第４電極パターンを含む請求項１に記載のタッチスクリーン。
【請求項４】
前記タッチ電極は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成される請求項１に記載のタッチスクリーン。
【請求項５】
前記タッチ電極は、メッシュ状に形成される請求項１に記載のタッチスクリーン。
【請求項６】
前記タッチ電極は、ポリ−３，４−エチレンジオキシチオフェン／ポリスチレンスルホネート（ＰＥＤＯＴ／ＰＳＳ）、ポリアニリン、ポリアセンチレンまたはポリフェニレンビニレンで形成される請求項１に記載のタッチスクリーン。
【請求項７】
前記タッチ電極は、銀塩乳剤層を露光／現像して形成された金属銀で形成される請求項１に記載のタッチスクリーン。
【請求項８】
前記タッチ電極は、インジウム−スズ酸化物（Ｉｎｄｉｕｍ−Ｔｈｉｎ  ｏｘｉｄｅ）からなる請求項１に記載のタッチスクリーン。
【請求項９】
透明基板と、
前記透明基板の一面の第１側に形成されたタッチ電極と、
前記透明基板の一面の第２側に形成されたデジタイザ電極と、
前記透明基板の他面方向に備えられた画像表示装置と、
を含むタッチスクリーン。
【請求項１０】
前記タッチ電極は、第１電極パターン及び第２電極パターンを含む請求項９に記載のタッチスクリーン。
【請求項１１】
前記デジタイザ電極は、第３電極パターン及び第４電極パターンを含む請求項１０に記載のタッチスクリーン。
【請求項１２】
前記第３電極パターン及び前記第４電極パターンは、それぞれ前記第１電極パターン及び前記第２電極パターンの縁に沿って形成される請求項１１に記載のタッチスクリーン。
【請求項１３】
前記タッチ電極は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成される請求項９に記載のタッチスクリーン。
【請求項１４】
前記タッチ電極は、メッシュ状に形成される請求項９に記載のタッチスクリーン。
【請求項１５】
前記タッチ電極は、ポリ−３，４−エチレンジオキシチオフェン／ポリスチレンスルホネート（ＰＥＤＯＴ／ＰＳＳ）、ポリアニリン、ポリアセンチレンまたはポリフェニレンビニレンで形成される請求項９に記載のタッチスクリーン。
【請求項１６】
前記タッチ電極は、銀塩乳剤層を露光／現像して形成された金属銀で形成される請求項９に記載のタッチスクリーン。
【請求項１７】
前記タッチ電極は、インジウム−スズ酸化物（Ｉｎｄｉｕｍ−Ｔｈｉｎ  ｏｘｉｄｅ）からなる請求項９に記載のタッチスクリーン。
【発明の詳細な説明】
【技術分野】
【０００１】
本発明は、タッチスクリーンに関する。
【背景技術】
【０００２】
デジタル技術を用いるコンピュータが発達するにつれて、コンピュータの補助装置もともに開発されており、パソコン、ポータブル伝送装置、その他の個人用の情報処理装置などは、キーボード、マウスのような様々な入力装置（Ｉｎｐｕｔ  Ｄｅｖｉｃｅ）を用いてテキスト及びグラフィック処理を行う。
【０００３】
しかし、情報化社会の急速な進行により、コンピュータの用途が益々拡大する傾向にあるため、現在入力装置の機能を担当しているキーボード及びマウスだけでは、効率的な製品の駆動が困難であるという問題点がある。従って、簡単で誤操作が少なく、誰でも簡単に情報入力が可能な機器の必要性が高まっている。
【０００４】
また、入力装置に関する技術は、一般的な機能を満たす水準を超えて、高信頼性、耐久性、革新性、設計及び加工に関する技術などが注目されており、このような目的を達成するために、テキスト、グラフィックなどの情報入力が可能な入力装置としてタッチスクリーン（Ｔｏｕｃｈ  Ｓｃｒｅｅｎ）が開発された。
【０００５】
このようなタッチスクリーンは、電子手帳、液晶表示装置（Ｌｉｑｕｉｄ  Ｃｒｙｓｔａｌ  Ｄｉｓｐｌａｙ  Ｄｅｖｉｃｅ；ＬＣＤ）、ＰＤＰ（Ｐｌａｓｍａ  Ｄｉｓｐｌａｙ  Ｐａｎｅｌ）、ＥＬ（Ｅｌｅｃｔｒｏｌｕｍｉｎｅｓｃｅｎｃｅ）などの平板ディスプレイ装置及びＣＲＴ（Ｃａｔｈｏｄｅ  Ｒａｙ  Ｔｕｂｅ）のような画像表示装置の表示面に設けられ、ユーザが映像表示装置を見ながら所望の情報を選択できるようにするために利用される機器である。
【０００６】
一方、タッチスクリーンのタッチセンサーの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁気方式（Ｅｌｅｃｔｒｏ−Ｍａｇｎｅｔｉｃ  Ｔｙｐｅ）、弾性表面波方式（Ｓｕｒｆａｃｅ  Ａｃｏｕｓｔｉｃ  Ｗａｖｅ  Ｔｙｐｅ；ＳＡＷ  Ｔｙｐｅ）及びインフラレッド方式（Ｉｎｆｒａｒｅｄ  Ｔｙｐｅ）に区分される。このように様々な方式のタッチスクリーンは、信号増幅の問題、解像度の差、設計及び加工技術の難易度、光学的特性、電気的特性、機械的特性、耐環境特性、入力特性、耐久性及び経済性を考慮して電子製品に用いられるが、現在最も広い分野で用いられるものは、抵抗膜方式タッチスクリーン及び静電容量方式タッチスクリーンである。
【０００７】
また、タッチスクリーンのデジタイザセンサーは、電磁気誘導方式を使用している。ここで、デジタイザセンサーは、筆圧や正確な座標を導出して画面に適用することができるため、ペンを用いた書き込みまたはスケッチ等の作業に非常に有利に作用する。
【０００８】
しかし、従来のタッチ機器には、デジタイザセンサーが画像表示装置の表示面の後面に位置するため、画像表示装置の表示面の前面方向へのペンタッチの際にタッチ感度が低下する問題がある。
【発明の概要】
【発明が解決しようとする課題】
【０００９】
本発明は、前記のような問題点を解決するために導き出されたものであり、本発明の目的は、タッチ電極及びデジタイザ電極を一つのモジュールで構成するタッチスクリーンを提供することにある。
【００１０】
また、本発明の目的は、タッチ電極及びデジタイザ電極を画像表示装置の前面に位置させるタッチスクリーンを提供することにある。
【００１１】
更に、本発明の目的は、タッチ電極及びデジタイザ電極を単一面に形成されるタッチスクリーンを提供することにある。
【課題を解決するための手段】
【００１２】
本発明の第１実施例によるタッチスクリーンは、透明基板と、前記透明基板の一面に形成されたタッチ電極と、前記透明基板の他面に形成されたデジタイザ電極と、前記透明基板の他面方向に備えられた画像表示装置と、を含むものである。
【００１３】
また、前記タッチ電極は、第１電極パターン及び第２電極パターンを含むことができる。
【００１４】
また、前記デジタイザ電極は、第３電極パターン及び第４電極パターンを含むことができる。
【００１５】
また、前記タッチ電極は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成されることができる。
【００１６】
また、前記タッチ電極は、メッシュ状に形成されることができる。
【００１７】
また、前記タッチ電極は、ポリ−３，４−エチレンジオキシチオフェン／ポリスチレンスルホネート（ＰＥＤＯＴ／ＰＳＳ）、ポリアニリン、ポリアセンチレンまたはポリフェニレンビニレンで形成されることができる。
【００１８】
また、前記タッチ電極は、銀塩乳剤層を露光／現像して形成された金属銀で形成されることができる。
【００１９】
また、前記タッチ電極は、インジウム−スズ酸化物（Ｉｎｄｉｕｍ−Ｔｈｉｎ  ｏｘｉｄｅ）からなることができる。
【００２０】
本発明の第２実施例によるタッチスクリーンは、透明基板と、前記透明基板の一面の第１側に形成されたタッチ電極と、前記透明基板の一面の第２側に形成されたデジタイザ電極と、前記透明基板の他面方向に備えられた画像表示装置と、を含むものである。
【００２１】
また、前記タッチ電極は、第１電極パターン及び第２電極パターンを含むことができる。
【００２２】
また、前記デジタイザ電極は、第３電極パターン及び第４電極パターンを含むことができる。
【００２３】
また、前記第３電極パターン及び前記第４電極パターンは、それぞれ前記第１電極パターン及び前記第２電極パターンの縁に沿って形成されることができる。
【００２４】
また、前記タッチ電極は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成されることができる。
【００２５】
また、前記タッチ電極は、メッシュ状に形成されることができる。
【００２６】
また、前記タッチ電極は、ポリ−３，４−エチレンジオキシチオフェン／ポリスチレンスルホネート（ＰＥＤＯＴ／ＰＳＳ）、ポリアニリン、ポリアセンチレンまたはポリフェニレンビニレンで形成されることができる。
【００２７】
また、前記タッチ電極は、銀塩乳剤層を露光／現像して形成された金属銀で形成されることができる。
【００２８】
また、前記タッチ電極は、インジウム−スズ酸化物（Ｉｎｄｉｕｍ−Ｔｈｉｎ  ｏｘｉｄｅ）からなることができる。
【００２９】
本発明の特徴及び利点は、添付図面に基づいた以下の詳細な説明によってさらに明らかになるであろう。
【００３０】
本発明の詳細な説明に先立ち、本明細書及び特許請求の範囲に用いられた用語や単語は、通常的かつ辞書的な意味に解釈されてはならず、発明者が自らの発明を最善の方法で説明するために用語の概念を適切に定義することができるという原則にしたがって本発明の技術的思想にかなう意味と概念に解釈されるべきである。
【発明の効果】
【００３１】
本発明によると、タッチ電極及びデジタイザ電極を一つのモジュールで構成して、タッチスクリーンの厚さを減少させ、材料費を低減することができる。
【００３２】
また、本発明によると、タッチ電極及びデジタイザ電極を画像表示装置の前面に位置させて、デジタイザ電極の感度を向上することができる。
【００３３】
更に、本発明によると、タッチ電極及びデジタイザ電極を単一面に形成されることができ、厚さをさらに減少させることができる。
【図面の簡単な説明】
【００３４】
【図１】本発明の第１実施例によるタッチスクリーンの分解斜視図である。
【図２】本発明の第１実施例によるタッチスクリーンの断面図である。
【図３】本発明の第２実施例によるタッチスクリーンの分解斜視図である。
【図４】本発明の第２実施例によるタッチスクリーンの断面図である。
【図５】本発明の第２実施例によるタッチスクリーンのタッチ電極及びデジタイザ電極の構成例を示す平面図である。
【発明を実施するための形態】
【００３５】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、第１、第２などの用語は、多様な構成要素を説明するために用いられることができるが、前記構成要素は前記用語によって限定されてはならない。前記用語は、一つの構成要素を他の構成要素から区別するためにのみ用いられる。また、本発明を説明するにあたり、係わる公知技術についての具体的な説明が本発明の要旨を不明瞭にする可能性があると判断される場合には、その詳細な説明を省略する。
【００３６】
以下、添付の図面を参照して本発明の好ましい実施例について詳細に説明する。
【００３７】
図１は、本発明の第１実施例によるタッチスクリーンの分解斜視図であり、図２は、本発明の第１実施例によるタッチスクリーンの断面図である。
【００３８】
図１及び図２に図示されたように、本実施例によるタッチスクリーン１００は、透明基板１１０、透明基板１１０の一面に形成されたタッチ電極１２０、透明基板１１０の他面に形成されたデジタイザ電極１３０及び透明基板１１０の他面方向に備えられた画像表示装置１５０を含む構成を有する。
【００３９】
図１及び図２を参照すると、前記透明基板１１０は、タッチ電極１２０及びデジタイザ電極１３０が形成される領域を提供する機能を有する。
【００４０】
ここで、透明基板１１０は、タッチ電極１２０及びデジタイザ電極１３０を支持できる支持力と、画像表示装置１５０で提供する画像をユーザが認識できるようにする透明性を有しなければならない。前記支持力と透明性を考慮して、透明基板１１０は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することができるが、必ずしもこれに限定されるものではない。
【００４１】
また、透明基板１１０の両面を活性化させるために、高周波処理またはプライマー（ｐｒｉｍｅｒ）処理を施すことが好ましい。透明基板１１０の両面を活性化させることで、透明基板１１０とタッチ電極１２０及びデジタイザ電極１３０との間の接着力を向上させることができる。
【００４２】
図１及び図２を参照すると、タッチ電極１２０は、透明基板１１０の一面に形成され、デジタイザ電極１３０は、透明基板１１０の他面に形成され、透明基板１１０を中心に向かい合う。
【００４３】
先ず、タッチ電極１２０は、第１電極パターン１２１及び第２電極パターン１２２を含んで構成される。この際、第１電極パターン１２１及び第２電極パターン１２２は、互いに垂直方向に交差するように形成されることができる。
【００４４】
しかし、本発明の第１電極パターン１２１及び第２電極パターン１２２の形態は、必ずしもこれに限定されるものではなく、例えば、第１電極パターン１２１及び第２電極パターン１２２が互いに平行な方向に形成されることができるのは言うまでもない。
【００４５】
前記第１電極パターン１２１及び前記第２電極パターン１２２は、ユーザがデジタイザペンをタッチする際に信号を発生させて、コントローラでタッチ座標を認識できるようにする機能を有する。
【００４６】
また、先ず、デジタイザ電極１３０は、第３電極パターン１３１及び第４電極パターン１３２を含んで構成される。この際、第３電極パターン１３１及び第４電極パターン１３２は、互いに垂直方向に交差するように形成されることができる。
【００４７】
しかし、本発明の第３電極パターン１３１及び第４電極パターン１３２の形態は、必ずしもこれに限定されるものではなく、例えば、第３電極パターン１３１及び第４電極パターン１３２が互いに並列に形成され、互いに平行な方向に形成されることができるのは言うまでもない。
【００４８】
前記第３電極パターン１３１及び前記第４電極パターン１３２は、ユーザがデジタイザペンをタッチする際に信号を発生させて、コントローラでデジタイザペンがタッチされた座標を認識できるようにする機能を有する。
【００４９】
また、タッチ電極１２０は、金属メッシュ、伝導性高分子または金属酸化物の何れか一つからなることができる。
【００５０】
先ず、伝導性高分子は、柔軟性に優れコーティング工程が単純である。この際、伝導性高分子は、ポリ−３，４−エチレンジオキシチオフェン／ポリスチレンスルホネート（ＰＥＤＯＴ／ＰＳＳ）、ポリアニリン、ポリアセンチレンまたはポリフェニレンビニレンを含んでなる。
【００５１】
また、金属酸化物は、インジウム−スズ酸化物（Ｉｎｄｉｕｍ−Ｔｈｉｎ  ｏｘｉｄｅ）からなる。
【００５２】
また、タッチ電極１２０は、乾式工程、湿式工程またはダイレクト（ｄｉｒｅｃｔ）パターニング工程で形成することができる。ここで、乾式工程は、スパッタリング（Ｓｐｕｔｔｅｒｉｎｇ）、蒸着（Ｅｖａｐｏｒａｔｉｏｎ）などを意味し、湿式工程は、ディップコーティング（Ｄｉｐ  ｃｏａｔｉｎｇ）、スピンコーティング（Ｓｐｉｎ  ｃｏａｔｉｎｇ）、ロールコーティング（Ｒｏｌｌ  ｃｏａｔｉｎｇ）、スプレーコーティング（Ｓｐｒａｙ  ｃｏａｔｉｎｇ）などを意味し、ダイレクトパターニング工程は、スクリーン印刷法（Ｓｃｒｅｅｎ  Ｐｒｉｎｔｉｎｇ）、グラビア印刷法（Ｇｒａｖｕｒｅ  Ｐｒｉｎｔｉｎｇ）、インクジェット印刷法（Ｉｎｋｊｅｔ  Ｐｒｉｎｔｉｎｇ）などを意味する。
【００５３】
更に、金属メッシュは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせを利用してメッシュパターン（Ｍｅｓｈ  Ｐａｔｔｅｒｎ）に形成することができる。
【００５４】
この際、タッチ電極１２０は、メッキ工程や蒸着工程で形成することができる。一方、タッチ電極１２０を銅（Ｃｕ）で形成する場合、タッチ電極１２０の表面は黒化処理することが好ましい。ここで、黒化処理とは、タッチ電極１２０の表面を酸化させてＣｕ２ＯまたはＣｕＯを析出させることであって、Ｃｕ２Ｏは褐色を帯びるため、ブラウンオキサイド（Ｂｒｏｗｎ  ｏｘｉｄｅ）とし、ＣｕＯは黒色を帯びるためブラックオキサイド（Ｂｌａｃｋ  ｏｘｉｄｅ）とする。このように、タッチ電極１２０の表面を黒化処理することで、光が反射することを防止することができ、それによってタッチスクリーン１００の視認性を改善することができる。
【００５５】
また、タッチ電極１２０は、線幅が７μｍ以下に形成され、ピッチが９００μｍ以下に形成されて視認性を改善することができる。しかし、本発明の第１実施例によるタッチ電極１２０の線幅及びピッチは、これに限定されない。
【００５６】
一方、前記金属の他にも、タッチ電極１２０は、銀塩乳剤層を露光／現像して形成された金属銀で形成することができる。
【００５７】
また、デジタイザ電極１３０は、タッチ電極１２０と同一材質で形成されることができるが、本発明のデジタイザ電極１３０の材質は、必ずしもこれに限定されるものではない。
【００５８】
図１及び図２を参照すると、画像表示装置１５０は、画像を出力する機能を有するものであって、透明基板１１０の他面方向に備えられる。
【００５９】
ここで、画像表示装置１５０は、液晶表示装置（Ｌｉｑｕｉｄ  Ｃｒｙｓｔａｌ  Ｄｉｓｐｌａｙ  Ｄｅｖｉｃｅ；ＬＣＤ）、ＰＤＰ（Ｐｌａｓｍａ  Ｄｉｓｐｌａｙ  Ｐａｎｅｌ）、ＥＬ（Ｅｌｅｃｔｒｏｌｕｍｉｎｅｓｃｅｎｃｅ）またはＣＲＴ（Ｃａｔｈｏｄｅ  Ｒａｙ  Ｔｕｂｅ）などを含む。
【００６０】
また、画像表示装置１５０は、透明基板１１０の他面に光学透明接着剤（ＯＣＡ）１５５で接着することができる。
【００６１】
更に、図１及び図２を参照すると、タッチ電極１２０は、タッチ電極１２０の電気的信号を受信するタッチ電極配線１２３を含んで構成される。
【００６２】
この際、第１電極パターン１２１及び第２電極パターン１２２の縁にタッチ電極配線１２３が形成されて、第１電極パターン１２１及び第２電極パターン１２２から電気的信号を受信する。
【００６３】
更に、図１及び図２を参照すると、デジタイザ電極１３０は、デジタイザ電極配線１３３を含んで構成される。
【００６４】
この際、第３電極パターン１３１及び第４電極パターン１３２の縁にデジタイザ電極配線１３３が形成されて、第３電極パターン１３１及び第４電極パターン１３２から電気的信号を受信する。
【００６５】
結果、前記のような本発明の第１実施例によるタッチスクリーン１００は、タッチ電極１２０とデジタイザ電極１３０を含んで一つのモジュールで構成することにより、タッチスクリーン１００の厚さを減少させ、材料費を低減することができる。
【００６６】
また、デジタイザ電極がタッチ電極１２０とともに、画像表示装置１５０の前面に位置し、デジタイザ電極の感度を向上することができる。
【００６７】
図３は、本発明の第２実施例によるタッチスクリーンの分解斜視図であり、図４は、本発明の第２実施例によるタッチスクリーンの断面図であり、図５は、本発明の第２実施例によるタッチスクリーンのタッチ電極及びデジタイザ電極の構成例を示す平面図である。
【００６８】
図３及び図４に図示されたように、本実施例によるタッチスクリーン２００は、透明基板１１０、透明基板１１０の一面の第１側に形成されたタッチ電極２２０、透明基板１１０の一面の第２側に形成されたデジタイザ電極２３０、透明基板１１０の他面方向に備えられた画像表示装置１５０を含む構成を有する。
【００６９】
本実施例によるタッチスクリーン２００は、前記第１実施例によるタッチスクリーン１００と比較すると、透明基板１１０の一面にタッチ電極２２０及びデジタイザ電極２３０がともに形成されるという相違点を有する。従って、本実施例では、第１実施例と重複する内容は簡単に説明し、相違点を中心に説明する。
【００７０】
図３及び図４を参照すると、前記透明基板１１０は、タッチ電極２２０及びデジタイザ電極２３０が形成される領域を提供する機能を有する。ここで、透明基板１１０は、タッチ電極２２０及びデジタイザ電極２３０を支持できる支持力と、画像表示装置１５０で提供する画像をユーザが認識できるようにする透明性を有しなければならない。前記支持力と透明性を考慮して、透明基板１１０は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することができるが、必ずしもこれに限定されるものではない。
【００７１】
一方、透明基板１１０の一面を活性化させるために、高周波処理またはプライマー（ｐｒｉｍｅｒ）処理を施すことが好ましい。透明基板１１０の一面を活性化させることで、透明基板１１０とタッチ電極２２０及びデジタイザ電極２３０との間の接着力を向上させることができる。
【００７２】
図３〜図５を参照すると、タッチ電極２２０は、透明基板１１０の一面の第１側に形成され、デジタイザ電極２３０は、透明基板１１０の一面の第２側に形成され、透明基板１１０を中心に向かい合う。
【００７３】
ここで、タッチ電極２２０は、第１電極パターン２２１及び第２電極パターン２２２を含んで構成される。この際、第１電極パターン２２１及び第２電極パターン２２２は、互いに垂直方向に交差するように形成されることができる。
【００７４】
しかし、本発明の第１電極パターン２２１及び第２電極パターン２２２は、必ずしもこれに限定されるものではなく、例えば、第１電極パターン２２１及び第２電極パターン２２２が互いに並列に形成され、互いに平行な方向に形成されることができるのは言うまでもない。
【００７５】
前記第１電極パターン２２１及び前記第２電極パターン２２２は、ユーザがデジタイザペンをタッチする際に信号を発生させて、コントローラでタッチ座標を認識できるようにする機能を有する。
【００７６】
また、先ず、デジタイザ電極２３０は、第３電極パターン２３１及び第４電極パターン２３２を含んで構成される。この際、第３電極パターン２３１及び第４電極パターン２３２は、互いに垂直方向に交差するように形成されることができる。
【００７７】
しかし、本発明の第３電極パターン２３１及び第４電極パターン２３２の形態は、必ずしもこれに限定されるものではなく、例えば、第３電極パターン２３１及び第４電極パターン２３２が互いに並列に形成され、互いに平行な方向に形成されることができるのは言うまでもない。
【００７８】
特に、第３電極パターン２３１及び第４電極パターン２３２は、第１電極パターン２２１及び第２電極パターン２２２の縁に沿って形成されることができる。結果、デジタイザ電極２３０がタッチ電極２２０の縁に形成されるため、デジタイザ電極２３０及びタッチ電極２２０が同一層に形成されることができる。
【００７９】
これにより、タッチスクリーン２００の厚さを減少させることができ、材料費を低減することができる。
【００８０】
前記第３電極パターン２３１及び前記第４電極パターン２３２は、ユーザがデジタイザペンをタッチする際に信号を発生させて、コントローラでデジタイザペンがタッチされた座標を認識できるようにする機能を有する。
【００８１】
更に、タッチ電極２２０は、金属メッシュ、伝導性高分子または金属酸化物の何れか一つからなることができる。
【００８２】
先ず、伝導性高分子は、柔軟性に優れ、コーティング工程が単純である。この際、伝導性高分子は、ポリ−３，４−エチレンジオキシチオフェン／ポリスチレンスルホネート（ＰＥＤＯＴ／ＰＳＳ）、ポリアニリン、ポリアセンチレンまたはポリフェニレンビニレンを含んでなる。
【００８３】
また、金属酸化物は、インジウム−スズ酸化物（Ｉｎｄｉｕｍ−Ｔｈｉｎ  ｏｘｉｄｅ）からなる。
【００８４】
また、タッチ電極２２０は、乾式工程、湿式工程またはダイレクト（ｄｉｒｅｃｔ）パターニング工程で形成することができる。ここで、乾式工程は、スパッタリング（Ｓｐｕｔｔｅｒｉｎｇ）、蒸着（Ｅｖａｐｏｒａｔｉｏｎ）などを意味し、湿式工程は、ディップコーティング（Ｄｉｐ  ｃｏａｔｉｎｇ）、スピンコーティング（Ｓｐｉｎ  ｃｏａｔｉｎｇ）、ロールコーティング（Ｒｏｌｌ  ｃｏａｔｉｎｇ）、スプレーコーティング（Ｓｐｒａｙ  ｃｏａｔｉｎｇ）などを意味し、ダイレクトパターニング工程は、スクリーン印刷法（Ｓｃｒｅｅｎ  Ｐｒｉｎｔｉｎｇ）、グラビア印刷法（Ｇｒａｖｕｒｅ  Ｐｒｉｎｔｉｎｇ）、インクジェット印刷法（Ｉｎｋｊｅｔ  Ｐｒｉｎｔｉｎｇ）などを意味する。
【００８５】
更に、金属メッシュは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせを利用してメッシュパターン（Ｍｅｓｈ  Ｐａｔｔｅｒｎ）に形成することができる。
【００８６】
この際、タッチ電極２２０は、メッキ工程や蒸着工程で形成することができる。一方、タッチ電極２２０を銅（Ｃｕ）で形成する場合、タッチ電極２２０の表面は黒化処理することが好ましい。ここで、黒化処理とは、タッチ電極２２０の表面を酸化させてＣｕ２ＯまたはＣｕＯを析出させることであって、Ｃｕ２Ｏは褐色を帯びるためブラウンオキサイド（Ｂｒｏｗｎ  ｏｘｉｄｅ）とし、ＣｕＯは黒色を帯るためブラックオキサイド（Ｂｌａｃｋ  ｏｘｉｄｅ）とする。このように、タッチ電極２２０の表面を黒化処理することで、光が反射することを防止することができ、それによってタッチスクリーン２００の視認性を改善することができる。
【００８７】
また、前記金属の他にも、タッチ電極２２０は、銀塩乳剤層を露光／現像して形成された金属銀で形成することができる。
【００８８】
一方、デジタイザ電極２３０は、タッチ電極２２０と同一材質で形成されることができるが、本発明のデジタイザ電極２３０の材質は、必ずしもこれに限定されるものではない。
【００８９】
図３及び図４を参照すると、画像表示装置１５０は、画像を出力する機能を有するものであって、透明基板１１０の他面方向に備えられる。
【００９０】
これにより、タッチ電極２２０及びデジタイザ電極２３０が画像表示装置１５０の前面に位置することで、デジタイザ電極２３０の感度を向上することができる。
【００９１】
更に、タッチ電極２２０とデジタイザ電極２３０を含んで一つのモジュールで構成することにより、タッチスクリーン２００の厚さを減少させ、材料費を低減することができる。
【００９２】
一方、画像表示装置１５０は、液晶表示装置（Ｌｉｑｕｉｄ  Ｃｒｙｓｔａｌ  Ｄｉｓｐｌａｙ  Ｄｅｖｉｃｅ；ＬＣＤ）、ＰＤＰ（Ｐｌａｓｍａ  Ｄｉｓｐｌａｙ  Ｐａｎｅｌ）、ＥＬ（Ｅｌｅｃｔｒｏｌｕｍｉｎｅｓｃｅｎｃｅ）またはＣＲＴ（Ｃａｔｈｏｄｅ  Ｒａｙ  Ｔｕｂｅ）などを含むものである。また、画像表示装置１５０は、透明基板１１０の他面に光学透明接着剤（ＯＣＡ）１５５で接着することができる。
【００９３】
また、図３及び図４を参照すると、タッチ電極２２０は、タッチ電極２２０の電気的信号を受信するタッチ電極配線２２３を含んで構成される。
【００９４】
この際、第１電極パターン２２１及び第２電極パターン２２２の縁にタッチ電極配線２２３が形成されて、第１電極パターン２２１及び第２電極パターン２２２から電気的信号を受信する。
【００９５】
更に、デジタイザ電極２３０は、デジタイザ電極配線２３３を含んで構成される。
【００９６】
この際、第３電極パターン２３１及び第４電極パターン２３２の縁にデジタイザ電極配線２３３が形成されて、第３電極パターン２３１及び第４電極パターン２３２から電気的信号を受信する。
【００９７】
以上、本発明を具体的な実施例に基づいて詳細に説明したが、これは本発明を具体的に説明するためのものであり、本発明によるタッチスクリーンは、これに限定されず、該当分野における通常の知識を有する者であれば、本発明の技術的思想内にての変形や改良が可能であることは明白であろう。
【００９８】
本発明の単純な変形乃至変更はいずれも本発明の領域に属するものであり、本発明の具体的な保護範囲は添付の特許請求の範囲により明確になるであろう。
【産業上の利用可能性】
【００９９】
本発明は、タッチスクリーンに適用可能である。
【符号の説明】
【０１００】
１００、２００  タッチスクリーン
１１０  透明基板
１２０、２２０  タッチ電極
１２１、２２１  第１電極パターン
１２２、２２２  第２電極パターン
１２３、２２３  タッチ電極配線
１３０、２３０  デジタイザ電極
１３１、２３１  第３電極パターン
１３２、２３２  第４電極パターン
１３３、２３３  デジタイザ電極配線
１５０  画像表示装置
１５５  光学透明接着剤
【図１】
2013137731.tif 000003
【図２】
2013137731.tif 000004
【図３】
2013137731.tif 000005
【図４】
2013137731.tif 000006
【図５】
2013137731.tif 000007